(57)【要約】【課題】厚皮と薄皮に覆われたグレープフルーツやオレンジなどの果実や、厚皮に覆われた寸法が個別に異なるキウイやメロンやスイカなどの果実の、果肉だけを容易に残らず取り出すことができる果物用ナイフを提供する。【解決手段】弾性のあるワイヤーをナイフの刃に用い、先端部から左右に伸びるワイヤーを上下方向に湾曲する曲線の略三角形を形成した刃、或いは刃となるワイヤーを湾曲させた曲線又は直線を形成した刃を設けることにより、切り出す果実の形に合わせてナイフの刃を変形させることができる刃と把手からなる果物用ワイヤーナイフ。【選択図】  図１
2007167348.tif 000002
【特許請求の範囲】
【請求項１】
弾性のあるワイヤーをナイフの刃に用い、切り出す果実の形に合わせナイフの刃を変形させることができることを特徴とする刃と把手からなる果物用ワイヤーナイフ。
【請求項２】
先端部から左右に伸びるワイヤーを上下方向に湾曲する曲線の略三角形を形成し、弾性のあるワイヤーをナイフの刃に用い、切り出す果実の形に合わせナイフの刃を変形させることができることを特徴とする刃と把手からなる果物用ワイヤーナイフ。
【請求項３】
刃となるワイヤーが湾曲させた曲線又は直線を形成し、弾性のあるワイヤーをナイフの刃に用い、切り出す果実の形に合わせナイフの刃を変形させることができることを特徴とする刃と把手からなる果物用ワイヤーナイフ。
【発明の詳細な説明】
【技術分野】
【０００１】
本発明は、刃物である果物を切るナイフに関するものである。
【背景技術】
【０００２】
従来から、果物を切るナイフには、平面の周縁に刃が設けられた包丁やナイフ、表皮を剥く刃を削り台に装着したり把手を設けたスライサーがあった。また、ワイヤーを刃に用いた刃物にはチーズカッターがあった（図１３参照）。円弧状に曲げた果物ナイフがあった（特許文献１参照）。ワイヤーを備えた玉子切りがあった（特許文献２参照）。ワイヤーを用いたサイの目カッターがあった（特許文献３参照）。
【特許文献１】実用新案登録第３１０２６４９号公報
【特許文献２】特開２００５−１３８２６９号公報
【特許文献３】実用新案登録第３１０１７３５号公報
【発明の開示】
【発明が解決しようとする課題】
【０００３】
従来からの果物を切るナイフには次の様な問題点があった。
従来のナイフや包丁は平面に刃が設けられているため通常に使うと食べ物の切り出し面は基本的に平面となる。このため略球体である果物の果肉を切り出すためには手を複雑に動かしたり切り方を工夫するなど熟練を必要とし、特に柔らかい果実から厚皮や薄皮を取り除く作業は面倒で手を汚した。厚皮と薄皮に覆われたグレープフルーツやオレンジなどの果実や、厚皮に覆われた寸法が個別に異なるキウイやメロンやスイカなどの果実の果肉だけを容易に残さず取り出すことができる果物用ナイフがない。
表皮を剥くスライサーは果肉が硬い果物には使えるが、果肉の柔らかい果物では果肉が崩れ使えない。円弧状に曲げた果物ナイフは、個別に異なる寸法の果実の曲面に合わせられず果肉全てをきれいに切り出せず薄皮のある果実には使えない。ワイヤーを用いたチーズカッター、玉子切り、サイの目カッターなど従来の技術では、ワイヤーを支持具へ張着し用いているため果物の曲面に合わせられず使えない。
本発明は、これらの問題点を解決するためになされたものである。
【課題を解決するための手段】
【０００４】
先端部から左右に伸びるワイヤーを上下方向に湾曲する曲線の略三角形を形成した刃、或いは刃となるワイヤーを湾曲する曲線や直線を形成した刃を設けた弾性のあるワイヤーをナイフの刃に用い、ナイフの刃を切り出す果実の形に合わせ変形させることができることを特徴とする刃と把手からなる果物用ワイヤーナイフ。
【発明の効果】
【０００５】
ナイフの刃を切り出す果実の形に合わせ変形させることができるワイヤーの刃を用いたことにより、あらかじめ水平に半分に切られたグレープフルーツやオレンジの厚皮と薄皮を残し果肉だけを容易に切り出すことができ、寸法が個別に異なるキウイやメロンやスイカの果肉を厚皮に残さず容易に切り出すことができる。略球体である果物の柔らかい果肉を、崩すことなくきわめて容易に残らず切り出すことができる。
【発明を実施するための最良の形態】
【０００６】
以下、本発明の実施の形態について説明する。
（イ）弾性のあるワイヤー（１）でナイフ周縁全体を形成し、刃（４）と連続する把手（３）で構成されるナイフのワイヤー（１）の端を、把手（３）の後部で止め具（２）により固定する。
（ロ）刃（４）は、先端から左右に伸びるワイヤー（１）を上下方向に湾曲させ、果実の曲面と薄皮形状に合う曲線の略三角形を形成する。
（ハ）把手（３）は、ナイフの刃（４）から直角に折れ曲がる連続するワイヤー（１）からなり、ナイフ内側全体がワイヤー（１）で囲まれた大きな空間となる。
（ニ）把手（３）であるワイヤー（１）の握りを加減し、強く握れば左右のワイヤー（１）が絞まりナイフの内側空間を狭めナイフの幅を小さくすることができる。
本発明は以上のような構成で、これを使用するときは、図１１で示すように、ナイフの把手（３）を握り、刃（４）をあらかじめ水平に半分に切られたグレープフルーツやオレンジの厚皮（６）と果肉の間へナイフ先端部を立てて差し果肉を切り分ける。ナイフ幅が薄皮幅より大きい場合は、図２で示すように把手（３）の握りを加減しナイフ幅を調節する。ナイフが果実の下部へ届き差し止ったらナイフを平行に引き上げ果肉と薄皮を切り分ける。
また、図３、図５、図７で示すように、刃（４）となるワイヤー（１）を湾曲させた曲線、或いは直線を形成した刃（４）を設け、弾性のあるワイヤー（１）をナイフの刃（４）とすることにより、キウイやメロンやスイカの果肉を厚皮（６）から切り分けることができ、ナイフの刃（４）と果実の寸法が異なる場合は、把手（３）の握りを加減し刃（４）となるワイヤー（１）の形状を切り分ける果実の曲面に合わせるように変形させ調節して使用する。
【実施例１】
【０００７】
図１で示すナイフは、グレープフルーツやオレンジの果肉を切り分けるのに最適な果物用ワイヤーナイフである。弾性のあるワイヤー（１）がナイフ周縁全体を形成し、刃（４）と連続する把手（３）で構成され、ワイヤー（１）の端が止め具（２）により固定されたナイフである。刃（４）は先端から左右に伸びるワイヤー（１）を上下方向に湾曲させ果実の曲面と薄皮形状に合う曲線の略三角形を形成し、把手（３）はナイフの刃（４）から直角に折れ曲がり連続するワイヤー（１）からなっている。ナイフ内側全体がワイヤー（１）で囲まれた大きな空間となり、図２で示すように、把手（３）であるワイヤー（１）の握りを加減し強く握れば左右のワイヤー（１）が絞まりナイフの内側空間を狭めナイフの幅を小さくすることができる。図１１で示すように、グレープフルーツやオレンジの厚皮（６）と果肉の間へナイフ先端部を立てて差し果肉を切り分ける。ナイフが果実の下部へ届き差し止ったらナイフを平行に引き上げ果肉と薄皮を切り分ける。図９、図１０で示すような操作を補助する絞め具（５）や把手カバーを設けることができる。
【実施例２】
【０００８】
図３で示すナイフは、キウイの果肉を切り分けるのに最適な果物用ワイヤーナイフである。刃（４）であるワイヤー（１）を湾曲させた曲線形状を形成し、把手（３）がナイフの刃（４）から約４５度に折れ曲がり連続するワイヤー（１）からなる。果実の寸法が異なる場合は、図４で示すように、把手（３）である左右のワイヤー（１）の握りを加減し刃（４）であるワイヤーの曲線形状を果実の曲面に合わせ、図１２で示すように厚皮（６）と果肉の間に奥側から差し前側へナイフを操作し果肉を切り分ける。
【実施例３】
【０００９】
図５、図７で示すナイフは、メロンやスイカの果肉を切り分けるのに最適な果物用ワイヤーナイフである。図５で示すナイフは、刃（４）であるワイヤー（１）を湾曲させた曲線形状を形成し、ナイフの刃（４）の両端が約８０度に折れ曲がるワイヤー（１）を経て、約４５度に折れ曲がる把手（３）へ連続するワイヤー（１）からなる。果実の曲面が異なる場合は、図６で示すように、把手（３）である左右のワイヤー（１）の握りを加減し刃（４）であるワイヤー（１）の曲線を果実の曲面に合わせ、厚皮（６）と果肉の間に奥側から差し前側へナイフを操作し果肉を切り分ける。図７で示すナイフは、刃（４）の切れを良くするナイフである。把手（３）へ握り柄を設け、ナイフの刃（４）であるワイヤー（１）を直線とし、より細いワイヤー（１）を用いた、ナイフの刃を切り出す果実の形に合わせ変形させることができるナイフである。
【図面の簡単な説明】
【００１０】
【図１】本発明の斜視図
【図２】本発明の果物用ワイヤーナイフの機能を示す説明図
【図３】本発明の他の実施例を示す斜視図
【図４】本発明の果物用ワイヤーナイフの機能を示す説明図
【図５】本発明の他の実施例を示す斜視図
【図６】本発明の果物用ワイヤーナイフの機能を示す説明図
【図７】本発明の他の実施例を示す斜視図
【図８】本発明の平面図
【図９】本発明の他の実施例を示す平面図
【図１０】本発明の他の実施例を示す平面図
【図１１】本発明の果物用ワイヤーナイフの使用方法を示す説明図
【図１２】本発明の果物用ワイヤーナイフの使用方法を示す説明図
【図１３】従来の技術によるワイヤーカッターの斜視図
【符号の説明】
【００１１】
１  ワイヤー
２  止め具
３  把手
４  刃
５  絞め具
６  厚皮
７  差し切る方向
８  絞める方向
９  スライドする方向
Ａ  差し切り開始位置
Ｂ  差し切り止まる位置
Ｃ  上げ切り中間位置
Ｄ  上げ切り終了位置
【図１】
2007167348.tif 000003
【図２】
2007167348.tif 000004
【図３】
2007167348.tif 000005
【図４】
2007167348.tif 000006
【図５】
2007167348.tif 000007
【図６】
2007167348.tif 000008
【図７】
2007167348.tif 000009
【図８】
2007167348.tif 000010
【図９】
2007167348.tif 000011
【図１０】
2007167348.tif 000012
【図１１】
2007167348.tif 000013
【図１２】
2007167348.tif 000014
【図１３】
2007167348.tif 000015